(57)【要約】【課題】意匠面の損傷を抑制しつつ、施工性の向上を実現できる建材、建材の積層体、及び建材の施工方法を提供する。【解決手段】建材は、第１面２Ｆを有し、第１面２Ｆ内に意匠面３が形成された略矩形板状の建材本体２と、建材本体２に剥離可能に貼着された保護シートＳ１と、を備える。意匠面３は、保護シートＳ１で覆われることにより保護された被覆領域Ｃ１と、意匠面３の１つの端部である第１意匠端部３Ｄに沿って延びて形成され、保護シートＳ１で覆われていない露出領域Ｂ１と、を有している。【選択図】図３
2018119353.tif 000002
【特許請求の範囲】
【請求項１】
第１面を有し、前記第１面内に意匠面が形成された略矩形板状の建材本体と、前記建材本体に剥離可能に貼着された保護シートと、を備えた建材であって、
前記意匠面は、前記保護シートで覆われることにより保護された被覆領域と、
前記意匠面の１つの端部である第１意匠端部に沿って延びて形成され、前記保護シートで覆われていない露出領域と、を有していることを特徴とする建材。
【請求項２】
前記意匠面は、前記第１意匠端部から内方に離れて形成された第１意匠面と、
前記第１意匠端部と前記第１意匠面とを接続し、かつ前記第１意匠面に対して傾斜する第２意匠面と、を有し、
前記露出領域は、前記第２意匠面の一部を含んでいる請求項１記載の建材。
【請求項３】
前記第２意匠面には、前記露出領域と前記被覆領域とが形成されており、
前記被覆領域は、前記第１意匠面から前記第２意匠面の途中まで形成されている請求項２記載の建材。
【請求項４】
前記保護シートは、前記第１意匠面から前記第２意匠面に非接触状態で外方に延出しており、
前記保護シートのシート端は、前記第１意匠端部と前記第１意匠面との間に位置している請求項３記載の建材。
【請求項５】
前記露出領域は、前記第１意匠端部、及び前記第１意匠端部と対向する第２意匠端部に沿って延びて一対に形成されている請求項１記載の建材。
【請求項６】
前記露出領域は、前記第１意匠端部、及び前記第１意匠端部と交差する第３意匠端部に沿って延びて形成されている請求項１記載の建材。
【請求項７】
前記露出領域は、前記意匠面の四方の端部に沿って延びて形成されている請求項１記載の建材。
【請求項８】
前記建材本体は、前記第１面とは反対側を向く第２面と、
前記第１意匠端部と対向する第２意匠端部から前記第２面に向かって凹み、前記第２面側で外方に突出する第１裏面側接合部と、
前記建材本体における前記第１裏面側接合部と対向する箇所に形成され、隣接する別の前記建材本体の前記第１裏面側接合部と接合可能な第１表面側接合部と、を有し、
前記第１裏面側接合部における前記第１面側の表面は、前記保護シートで覆われておらず、
前記露出領域は、前記第１表面側接合部における前記第１面側の表面に形成されている請求項１記載の建材。
【請求項９】
前記建材本体は、前記第１意匠端部と交差する第３意匠端部から前記第２面に向かって凹み、前記第２面側で外方に突出する第２裏面側接合部と、
前記建材本体における前記第２裏面側接合部と対向する箇所に形成され、隣接する別の前記建材本体の前記第２裏面側接合部と接合可能な第２表面側接合部と、を有し、
前記第２裏面側接合部における前記第１面側の表面は、前記保護シートで覆われておらず、
前記露出領域は、前記第２表面側接合部における前記第１面側の表面に形成されている請求項８記載の建材。
【請求項１０】
請求項１乃至９のいずれか１項記載の前記建材を重ね合わせた積層体であって、
各前記建材は、互いの前記第１面が対向する状態で重なり合う２枚で組を構成し、
前記組を構成する一方の前記建材の前記露出領域は、前記組を構成する他方の前記建材の前記被覆領域を覆う前記保護シートにより保護されていることを特徴とする建材の積層体。
【請求項１１】
請求項１乃至９のいずれか１項記載の前記建材を建物の構造体に取り付ける第１工程と、
前記第１工程の後に、前記保護シートを前記意匠面から剥がす第２工程と、を備えていることを特徴とする建材の施工方法。
【発明の詳細な説明】
【技術分野】
【０００１】
本発明は、建材、建材の積層体、及び建材の施工方法に関する。
【背景技術】
【０００２】
特許文献１〜３に従来の建材の例が開示されている。これらの建材は、略矩形板状の建材本体と、建材本体の表面を覆う保護シートと、を備えている。
【０００３】
より詳しくは、特許文献１には、塗装や凹凸模様等である意匠面を向かい合わせにした２枚の建材本体の間に、合紙である保護シートを配して結束することや、保護シートを配して結束した２枚の建材本体をパレットに積載することが記載されている。特許文献２及び特許文献３には、建材本体の化粧層又は仕上げ層である意匠面に、保護シートを剥離可能に貼着することが記載されている。特許文献２、３のような保護シートを用いた場合、施工時にも意匠面の損傷を抑制することができる。
【０００４】
このように、特許文献１〜３に開示されているような建材について、意匠面の損傷を抑制するため、保護シートにより建材本体の表面端部まで覆うことが一般に行われている。特許文献１では、建材本体の表面全体のサイズよりも若干大きい保護シートを用いることが記載されている。特許文献２でも、建材本体の表面端部にまで保護シートを貼った形態が図示されている。
【先行技術文献】
【特許文献】
【０００５】
【特許文献１】特開２０１０−５８８４６号公報
【特許文献２】特開平１１−５０５９１号公報
【特許文献３】特表２００５−５３２９３２号公報
【発明の概要】
【発明が解決しようとする課題】
【０００６】
ところで、上記のような建材本体と保護シートとを備えた従来の建材では、意匠面の損傷を抑制するために保護シートで建材本体の表面を覆ったまま施工する場合、隣接する建材本体同士の間に保護シートのシート端が挟まれないように注意しながら作業する必要がある。また、隣接する建材本体同士の間に保護シートのシート端が挟まれてしまうと、その挟まれた部分を千切れないように注意して引き抜く等の余分な施工手間が必要となる。さらに、施工終了時に、保護シートを剥がす際のきっかけとなるシート端も、隣接する建材本体同士で重なり合い易いため、保護シートを剥がす作業が難しくなるおそれがある。その結果、従来の建材では、意匠面の損傷を抑制しつつ、施工性の向上を実現することが難しい。
【０００７】
本発明は、上記従来の実情に鑑みてなされたものであって、意匠面の損傷を抑制しつつ、施工性の向上を実現できる建材、建材の積層体、及び建材の施工方法を提供することを解決すべき課題としている。
【課題を解決するための手段】
【０００８】
本発明の第１の態様の建材は、第１面を有し、前記第１面内に意匠面が形成された略矩形板状の建材本体と、前記建材本体に剥離可能に貼着された保護シートと、を備えた建材であって、
前記意匠面は、前記保護シートで覆われることにより保護された被覆領域と、
前記意匠面の１つの端部である第１意匠端部に沿って延びて形成され、前記保護シートで覆われていない露出領域と、を有していることを特徴とする。
【０００９】
第１の態様の建材では、建材本体の第１面内に形成された意匠面の被覆領域は、剥離可能な保護シートで覆われることにより保護されている。このため、施工において、意匠面は、被覆領域の保護シートによって損傷が抑制される。
【００１０】
一方、意匠面の露出領域は、第１意匠端部に沿って延びて形成され、保護シートで覆われていない。このため、施工時、隣接する建材本体同士において、意匠面の第１意匠端部が露出する。つまり、その第１意匠端部から保護シートのシート端が離間するので、その第１意匠端部の周辺において、隣接する建材本体同士の間に保護シートのシート端が挟まれる不具合を抑制できる。このため、その第１意匠端部の周辺において、隣接する建材本体同士の間に保護シートのシート端が挟まれないように注意しながら作業しなくてもよくなる。また、保護シートの挟まれた部分を千切れないように注意して引き抜く等の余分な施工手間を無くすことができる。さらに、施工終了時に、保護シートを剥がす際のきっかけとなるシート端も、その第１意匠端部の周辺において、隣接する建材本体同士で互いに離間するため、保護シートを剥がす作業が容易になる。
【００１１】
したがって、本発明の第１の態様の建材によれば、意匠面の損傷を抑制しつつ、施工性の向上を実現できる。
【００１２】
本発明の第２の態様として、意匠面は、第１意匠端部から内方に離れて形成された第１意匠面と、第１意匠端部と第１意匠面とを接続し、かつ第１意匠面に対して傾斜する第２意匠面と、を有していることが望ましい。そして、露出領域は、第２意匠面の一部を含んでいることが望ましい。
【００１３】
この構成によれば、施工時だけでなく、保管時及び運搬時にも、意匠面の第１意匠端部を面取りする面取り部である第２意匠面によって、意匠面の損傷を抑制できる。そして、露出領域が第２意匠面の一部を含むことで、施工時、隣接する建材本体同士の間に保護シートのシート端を一層挟み難い。その結果、この建材では、施工性の一層の向上を実現できる。
【００１４】
本発明の第３の態様として、第２の態様において、第２意匠面には、露出領域と被覆領域とが形成されていることが望ましい。そして、被覆領域は、第１意匠面から第２意匠面の途中まで形成されていることが望ましい。
【００１５】
この構成によれば、第２意匠面が傾斜していることから、施工終了時に、第１意匠面から第２意匠面の途中までに形成される被覆領域を覆う保護シートのシート端を剥がし易い。その結果、この建材では、施工性の一層の向上を実現できる。
【００１６】
本発明の第４の態様として、第３の態様において、保護シートは、第１意匠面から第２意匠面に非接触状態で外方に延出していることが望ましい。そして、保護シートのシート端は、第１意匠端部と第１意匠面との間に位置していることが望ましい。
【００１７】
この構成によれば、保護シートのシート端が第１意匠端部よりも内方において第２意匠面から浮き上がっている。このため、施工終了時に、保護シートのシート端を剥がし易い。また、保護シートのシート端が第１意匠端部よりも外方に延出していないので、施工時、隣接する建材本体同士の間に保護シートのシート端を挟み難い。その結果、この建材では、施工性の一層の向上を実現できる。
【００１８】
本発明の第５の態様として、露出領域は、第１意匠端部、及び第１意匠端部と対向する第２意匠端部に沿って延びて一対に形成されていることが望ましい。
【００１９】
この構成によれば、露出領域が意匠面の対向する両端部に形成されていることから、施工時、隣接する建材本体同士の間に保護シートのシート端を一層挟み難い。その結果、この建材では、施工性の一層の向上を実現できる。
【００２０】
本発明の第６の態様として、露出領域は、第１意匠端部、及び第１意匠端部と交差する第３意匠端部に沿って延びて形成されていることが望ましい。
【００２１】
この構成によれば、露出領域が意匠面の交差する２つの端部に形成されていることから、施工時、隣接する建材本体同士の間に保護シートのシート端を一層挟み難い。その結果、この建材では、施工性の一層の向上を実現できる。
【００２２】
本発明の第７の態様として、露出領域は、意匠面の四方の端部に沿って延びて形成されていることが望ましい。
【００２３】
この構成によれば、露出領域が意匠面の四方の端部に形成されていることから、施工時、隣接する建材本体同士の間に保護シートのシート端を一層挟み難い。その結果、この建材では、施工性の一層の向上を実現できる。
【００２４】
本発明の第８の態様として、建材本体は、第１面とは反対側を向く第２面と、第１意匠端部と対向する第２意匠端部から第２面に向かって凹み、第２面側で外方に突出する第１裏面側接合部と、建材本体における第１裏面側接合部と対向する箇所に形成され、隣接する別の建材本体の第１裏面側接合部と接合可能な第１表面側接合部と、を有していることが望ましい。そして、第１裏面側接合部における第１面側の表面は、保護シートで覆われていないことが望ましい。また、露出領域は、第１表面側接合部における第１面側の表面に形成されていることが望ましい。
【００２５】
この構成によれば、第１裏面側接合部における第１面側の表面は、保護シートで覆われていない状態で、施工時に第１表面側接合部と接合されて隠れる。また、第１面における第１表面側接合部側に第１意匠端部が延びており、露出領域が第１意匠端部に沿って延びて形成されている。このため、施工時、隣接する建材本体同士における第１表面側接合部と第１裏面側接合部との接合箇所に、保護シートのシート端を一層挟み難い。その結果、この建材では、施工性の一層の向上を実現できる。
【００２６】
本発明の第９の態様として、第８の態様において、建材本体は、第１意匠端部と交差する第３意匠端部から第２面に向かって凹み、第２面側で外方に突出する第２裏面側接合部と、建材本体における第２裏面側接合部と対向する箇所に形成され、隣接する別の建材本体の第２裏面側接合部と接合可能な第２表面側接合部と、を有していることが望ましい。第２裏面側接合部における第１面側の表面は、保護シートで覆われていないことが望ましい。そして、露出領域は、第２表面側接合部における第１面側の表面に形成されていることが望ましい。
【００２７】
この構成によれば、第１面における第１表面側接合部側に第１意匠端部が延びており、露出領域が第１意匠端部に沿って延びて形成されている。また、第１面における第２表面側接合部側に露出領域が形成されている。このため、施工時、隣接する建材本体同士における第１表面側接合部と第１裏面側接合部との接合箇所、及び第２表面側接合部と第２裏面側接合部との接合箇所に、保護シートのシート端を一層挟み難い。その結果、この建材では、施工性の一層の向上を実現できる。
【００２８】
本発明の第１０の態様の建材の積層体は、前述したいずれかの建材を重ね合わせた積層体であって、
各建材は、互いの第１面が対向する状態で重なり合う２枚で組を構成し、
組を構成する一方の建材の露出領域は、組を構成する他方の建材の被覆領域を覆う保護シートにより保護されていることを特徴とする。
【００２９】
第１０の態様の建材の積層体では、一方の建材の露出領域が対向する他方の建材の保護シートで保護されるので、保管時及び運搬時に、意匠面の損傷を抑制することができる。
【００３０】
本発明の第１１の態様の建材の施工方法は、前述したいずれかの建材を建物の構造体に取り付ける第１工程と、
第１工程の後に、保護シートを意匠面から剥がす第２工程と、を備えていることを特徴とする。
【００３１】
第１１の態様の建材の施工方法において、建材本体の第１面内に形成された意匠面の被覆領域は、剥離可能な保護シートで覆われることにより保護されている。このため、施工時の第１工程において、意匠面は、被覆領域の保護シートによって損傷が抑制される。
【００３２】
一方、意匠面の露出領域は、第１意匠端部に沿って延びて形成され、保護シートで覆われていない。このため、施工時の第１工程を行う際、隣接する建材本体同士において、意匠面の第１意匠端部が露出する。つまり、その第１意匠端部から保護シートのシート端が離間するので、その第１意匠端部の周辺において、隣接する建材本体同士の間に保護シートのシート端が挟まれる不具合を抑制できる。このため、その第１意匠端部の周辺において、隣接する建材本体同士の間に保護シートのシート端が挟まれないように注意しながら作業しなくてもよくなり、余分な施工手間を無くすことができる。保護シートを剥がす作業が容易になることは前述の通りである。
【００３３】
したがって、本発明の第１１の態様の建材の施工方法によれば、意匠面の損傷を抑制しつつ、施工性の向上を実現できる。
【発明の効果】
【００３４】
本発明の建材、建材の積層体、及び建材の施工方法によれば、意匠面の損傷を抑制しつつ、施工性の向上を実現できる。
【図面の簡単な説明】
【００３５】
【図１】図１は、実施の形態１の外壁板を用いた建物の外装構造の斜視図である。
【図２】図２は、実施の形態１の外壁板の斜視図である。
【図３】図３は、実施の形態１に係り、保護シートが貼着された外壁板を示す正面図である。
【図４】図４は、実施の形態１に係り、図３の矢視Ｚ１方向から見た側面図である。
【図５】図５は、実施の形態１に係り、図３の矢視Ｙ１方向から見た側面図である。
【図６】図６は、実施の形態１に係り、施工状態を示す部分断面図である。
【図７】図７は、実施の形態１に係り、建材の積層体の側面図である。
【図８】図８は、実施の形態１に係り、建材の積層体の別の側面図である。
【図９】図９は、実施の形態２に係り、保護シートが貼着された外壁板を示す正面図である。
【図１０】図１０は、実施の形態２に係り、図９の矢視Ｚ２方向から見た側面図である。
【図１１】図１１は、実施の形態３に係り、保護シートが貼着された外壁板を示す正面図である。
【図１２】図１２は、実施の形態３に係り、図１１の矢視Ｚ３方向から見た側面図である。
【図１３】図１３は、実施の形態４に係り、保護シートが貼着された外壁板を示す正面図である。
【図１４】図１４は、実施の形態４に係り、図７と同様の方向から見た建材の積層体の側面図である。
【図１５】図１５は、実施の形態５に係り、保護シートが貼着された外壁板を示す正面図である。
【図１６】図１６は、実施の形態６に係り、保護シートが貼着された外壁板を示す正面図である。
【図１７】図１７は、実施の形態７の外壁板の斜視図である。
【図１８】図１８は、実施の形態７に係り、保護シートが貼着された外壁板を示す正面図である。
【図１９】図１９は、実施の形態７に係り、図７と同様の方向から見た建材の積層体の側面図である。
【図２０】図２０は、実施の形態８に係り、保護シートが貼着された外壁板を示す正面図である。
【図２１】図２１は、実施の形態８に係り、図７と同様の方向から見た建材の積層体の側面図である。
【発明を実施するための形態】
【００３６】
以下、本発明を具体化した実施の形態１〜８を図面を参照しつつ説明する。なお、図１において、垂直上方向を上と表示し、垂直下方向を下と表示する。また、図１の屋外から屋内に向う方向において水平左方向を左と表示し、水平右方向を右と表示する。そして、図２以降の各図に示す各方向は、図１に対応させて表示する。
【００３７】
（実施の形態１）
図１は、複数の外壁板２を建物の構造体８に取り付けた状態を示している。図１に示すように、建物は、住宅、施設、倉庫等である。
【００３８】
図２は、外壁板２の具体的形状を示している。図３〜図８に示す実施の形態１の建材は、外壁板２と保護シートＳ１とを備えている。外壁板２は、それ自体が高い強度や剛性を有して建物の外壁を構成する板材である。外壁板２は、「建材本体」の一例である。なお、建材本体は外壁板に限定されず、例えば、建物を外装する化粧板、屋内用構造パネル、内装板等であってもよい。
【００３９】
本実施の形態では、構造体８は、例えば、木造軸組構法によって建築されるものである。構造体８は、複数の構造部材によって構成される。構造部材には、左右方向に所定の間隔を有して並ぶ複数の柱材や柱材間に配置される間柱等の部材９も含まれる。
【００４０】
なお、構造体８は、本実施の形態の構成に限定されず、木造枠組壁構法等によって建築されてもよい。また、建材本体が取り付けられる構造体は、例えば、鉄骨造、鉄筋コンクリート造、レンガ造等の躯体であってもよいし、屋内の区画壁であってもよい。
【００４１】
図２に示すように、外壁板２は、四辺形状、より具体的には、左右方向に長い略矩形状の板材である。本実施の形態では、外壁板２は、セメントを含む窯業系材料からなる。より具体的には、外壁板２は、木質セメント板である。なお、外壁板２の材質や形状は上記には限定されない。例えば、外壁板２の材質は、金属系材、木質系材、樹脂系材等を適宜選択できる。また、外壁板２の形状は、四辺形状で上下に長い略矩形形状の板材等を適宜選択できる。
【００４２】
図１に示すように、複数の外壁板２は、取付具９０等の周知の取付具により、上下方向及び左右方向に隣接する状態で、構造体８に取り付けられて、構造体８の外面を覆う。図２に示すように、外壁板２は、第１面２Ｆと第２面２Ｂとを有している。第１面２Ｆは、外壁板２における屋外方向を向く面である。第２面２Ｂは、外壁板２における屋内方向を向く面である。
【００４３】
本実施の形態では、第１面２Ｆは、外壁板２を構成する木質セメント板の上に塗膜が積層され、その塗膜の表面は鏡面のような光沢を有する。つまり、第１面２Ｆに、平滑な意匠面３が形成されている。意匠面３の大きさは特に限定されないが、一例を挙げると、左右方向の長さが約３ｍであり、上下方向の長さが約０．５ｍである。
【００４４】
第１意匠端部３Ｄは、意匠面３の下方の端部である。第２意匠端部３Ｕは、意匠面３の上方の端部であり、第１意匠端部３Ｄと対向している。第１意匠端部３Ｄと第２意匠端部３Ｕとは、互いに平行に左右方向に延びている。
【００４５】
第３意匠端部３Ｒは、意匠面３の右方の端部であり、第１意匠端部３Ｄと直交している。第４意匠端部３Ｌは、意匠面３の左方の端部であり、第１意匠端部３Ｄと直交し、かつ第３意匠端部３Ｒと対向している。第３意匠端部３Ｒと第４意匠端部３Ｌとは、互いに平行に上下方向に延びている。
【００４６】
第１意匠面３１は、第１意匠端部３Ｄ、第２意匠端部３Ｕ、第３意匠端部３Ｒ及び第４意匠端部３Ｌのそれぞれから内方に離れて形成された長方形状の平坦面である。
【００４７】
第２意匠面３２Ｄ、３２Ｕ、３２Ｒ、３２Ｌは、意匠面３の四方の端部を面取りする面取り部であり、四方の意匠端部と第１意匠面３１とを接続し、かつ第１意匠面３１に対して４５°程度の角度で傾斜している。第２意匠面３２Ｄ、３２Ｕ、３２Ｒ、３２Ｌの幅は特に限定されないが、一例として約２．０〜３．０ｍｍがあげられる。
【００４８】
外壁板２の上端部には、第１裏面側接合部２１が形成されている。外壁板２の下端部、すなわち、外壁板２における第１裏面側接合部２１と対向する箇所には、第１表面側接合部２２が形成されている。外壁板２の右端部には、第２裏面側接合部２３が形成されている。外壁板２の左端部、すなわち、外壁板２における第２裏面側接合部２３と対向する箇所には、第２表面側接合部２４が形成されている。第１裏面側接合部２１、第１表面側接合部２２、第２裏面側接合部２３及び第２表面側接合部２４は、「実部」とも呼ばれる。
【００４９】
なお、図２〜図８では、外壁板２の大きさに対して、第２意匠面３２Ｄ、３２Ｕ、３２Ｒ、３２Ｌ、第１裏面側接合部２１、第１表面側接合部２２、第２裏面側接合部２３及び第２表面側接合部２４の大きさが誇張して図示されている。
【００５０】
図２に示すように、第１裏面側接合部２１は、外壁板２の第１面２Ｆから第２面２Ｂに向かって段状に凹み、第２面２Ｂ側で上方に突出している。また、第１裏面側接合部２１は、第２意匠端部３Ｕに沿って左右方向に延びて形成されている。第１裏面側接合部２１における第１面２Ｆ側の表面２１Ｆは、第２意匠端部３Ｕ側から垂直に延びた後、第２面２Ｂに接近するように傾斜している。つまり、第１裏面側接合部２１の断面形状は、上向きに先細っている。
【００５１】
第１裏面側接合部２１の表面２１Ｆには、コーキング２１Ｓが設けられている。コーキング２１Ｓは、第１裏面側接合部２１に沿って直線状に配設されている。なお、コーキングは必須ではなく、本実施の形態のコーキング２１Ｓを省略することもできる。また、図２以降の図においては、コーキング２１Ｓの図示を省略している。
【００５２】
第１表面側接合部２２は、外壁板２の第２面２Ｂから第１面２Ｆに向かって段状に凹み、第１面２Ｆ側で下方に突出している。また、第１表面側接合部２２は、第１意匠端部３Ｄに沿って左右方向に延びて形成されている。第１表面側接合部２２における第１面２Ｆ側の表面２２Ｆには、第１意匠面３１の下端部と、第２意匠面３２Ｄとが形成されている。第１表面側接合部２２における第２面２Ｂ側の上端部は、上向きに先細るように凹んでいる。
【００５３】
第２裏面側接合部２３は、外壁板２の第１面２Ｆから第２面２Ｂに向かって段状に凹み、第２面２Ｂ側で右方に突出している。また、第２裏面側接合部２３は、第３意匠端部３Ｒに沿って上下方向に延びて形成されている。
【００５４】
第２裏面側接合部２３における第１面２Ｆ側の表面には、コーキング２３Ｓが設けられている。コーキング２３Ｓは、第２裏面側接合部２３に沿って直線状に配設されている。なお、コーキングは必須ではなく、本実施の形態のコーキング２３Ｓを省略することもできる。また、図２以降の図においては、コーキング２３Ｓの図示を省略している。
【００５５】
第２表面側接合部２４は、外壁板２の第２面２Ｂから第１面２Ｆに向かって段状に凹み、第１面２Ｆ側で左方に突出している。また、第２表面側接合部２４は、第４意匠端部３Ｌに沿って上下方向に延びて形成されている。
【００５６】
図６に示すように、第１裏面側接合部２１と第１表面側接合部２２とは、２枚の外壁板２が上下で隣接することにより、接合可能となっている。より詳しくは、下方の外壁板２の第１裏面側接合部２１と、上方の外壁板２の第１表面側接合部２２とが屋内外方向で重なり合うことによって、上下で隣接する外壁板２同士の間に、上下合決り部が形成されるようになっている。
【００５７】
また、図示は省略するが、第２裏面側接合部２３と第２表面側接合部２４とは、２枚の外壁板２が左右で隣接することにより、接合可能となっている。より詳しくは、左方の外壁板２の第２裏面側接合部２３と、右方の外壁板２の第２表面側接合部２４とが屋内外方向で重なり合うことによって、左右で隣接する外壁板２同士の間に、左右合決り部が形成されるようになっている。
【００５８】
すなわち、外壁板２は、第１裏面側接合部２１、第１表面側接合部２２、第２裏面側接合部２３及び第２表面側接合部２４を備える、いわゆる「四方合い決り構造」の板材である。
【００５９】
図３〜図８に示す保護シートＳ１は、物品の表面に剥離可能に貼着されて、物品の保管時、運搬時、施工時等において、物品の表面の損傷を抑制する周知の保護シートが使用される。より具体的には、保護シートＳ１は、シートである基層と、基層の一方の面に積層された粘着層とを有している。基層の材質としては、ポリエチレン、ポリプロピレン、ポリオレフィン、ポリ塩化ビニル、不織布、紙等を例示できる。粘着層は、保護シートＳ１を外壁板２の第１面２Ｆに確実に貼着できるとともに、保護シートＳ１を外壁板２の第１面２Ｆから剥離する際に、第１面２Ｆ上に残りにくい粘着力を有している。粘着層の材質としては、合成ゴム系、アクリル系等を例示できる。粘着層の形成方法としては、シートである基層に粘着物を塗布して形成する方法、基層と粘着物とをシート状に共押出して形成する方法等を例示できる。
【００６０】
外壁板２への保護シートＳ１の貼り付けについて説明する。まず、第１面２Ｆを上向きとした外壁板２に、粘着層が内側となるよう巻物状態にされた保護シートＳ１を配置する。次に、保護シートＳ１の一端を、粘着層が外壁板２の第１面２Ｆに接するように配し、外壁板２又は保護シートＳ１を移動させることにより、外壁板２の第１面２Ｆに保護シートＳ１を貼着する。そして、保護シートＳ１を所定の長さで切断する。
【００６１】
図３〜図５に示すように、保護シートＳ１は、外壁板２の第１面２Ｆに貼着された状態で、長方形状となっている。保護シートＳ１は、四方の端部であるシート端Ｓ１Ｄ、Ｓ１Ｕ、Ｓ１Ｒ、Ｓ１Ｌを有している。
【００６２】
シート端Ｓ１Ｄは、保護シートＳ１の下方の端部である。シート端Ｓ１Ｕは、保護シートＳ１の上方の端部であり、シート端Ｓ１Ｄと対向している。シート端Ｓ１Ｄとシート端Ｓ１Ｕとは、互いに平行に左右方向に延びている。
【００６３】
シート端Ｓ１Ｒは、保護シートＳ１の右方の端部であり、シート端Ｓ１Ｄと直交している。シート端Ｓ１Ｌは、保護シートＳ１の左方の端部であり、シート端Ｓ１Ｄと直交し、かつシート端Ｓ１Ｒと対向している。シート端Ｓ１Ｒとシート端Ｓ１Ｌとは、互いに平行に上下方向に延びている。
【００６４】
保護シートＳ１は、第１意匠端部３Ｄ及び第２意匠端部３Ｕと略平行に左右方向に延び、かつ、第３意匠端部３Ｒ及び第４意匠端部３Ｌと略平行に上下方向に延びて、第１意匠面３１の全面を接触状態で覆っている。図３及び図４に示すように、保護シートＳ１の上下方向の長さは、第１意匠面３１の上下方向の長さＬＶ３１と等しく設定されている。このため、保護シートＳ１のシート端Ｓ１Ｄは、第１意匠面３１よりも下方にはみ出さない。つまり、第２意匠面３２Ｄは、保護シートＳ１で覆われていない。また、保護シートＳ１のシート端Ｓ１Ｕは、第１意匠面３１よりも上方にはみ出さない。つまり、第２意匠面３２Ｕと、第１裏面側接合部２１における第１面２Ｆ側の表面２１Ｆとは、保護シートＳ１で覆われていない。
【００６５】
図３及び図５に示すように、保護シートＳ１の左右方向の長さは、意匠面３の左右方向の長さＬＨ３よりも大きく設定されている。このため、保護シートＳ１のシート端Ｓ１Ｒは、第３意匠端部３Ｒよりも右方に位置し、保護シートＳ１は、第１意匠面３１から、第２意匠面３２Ｒに非接触状態で、右方に延出している。また、保護シートＳ１のシート端Ｓ１Ｌは、第４意匠端部３Ｌよりも左方に位置し、保護シートＳ１は、第１意匠面３１から、第２意匠面３２Ｌに非接触状態で、左方に延出している。保護シートＳ１のシート端Ｓ１Ｒ、Ｓ１Ｌが意匠面３から右方又は左方にはみ出す長さは特に限定されないが、一例として約５ｍｍがあげられる。
【００６６】
つまり、意匠面３は、保護シートＳ１で覆われることにより保護された被覆領域Ｃ１（Ｃ１Ｃ、Ｃ１Ｒ、Ｃ１Ｌ）と、保護シートＳ１で覆われていない露出領域Ｂ１（Ｂ１Ｄ、Ｂ１Ｕ）とを有している。
【００６７】
被覆領域Ｃ１Ｃは、第１意匠面３１の全面に形成されている。被覆領域Ｃ１Ｒは、第２意匠面３２Ｒに形成されている。被覆領域Ｃ１Ｌは、第２意匠面３２Ｌに形成されている。
【００６８】
露出領域Ｂ１Ｄは、第２意匠面３２Ｄに形成されており、第１意匠端部３Ｄに沿って延びて形成されている。露出領域Ｂ１Ｄは、第１表面側接合部２２における第１面２Ｆ側の表面２２Ｆに形成されている。露出領域Ｂ１Ｕは、第２意匠面３２Ｕに形成されており、第２意匠端部３Ｕに沿って延びて形成されている。
【００６９】
図３〜図５に示す建材の施工方法は、第１工程と、第２工程と、を備えている。より詳しくは、図６に示すように、施工時の第１工程において、保護シートＳ１が貼着された外壁板２を建物の構造体８に取り付ける。この際、保護シートＳ１によって、意匠面３の被覆領域Ｃ１が保護される。そして、第１工程の後、第２工程において、保護シートＳ１を意匠面３から剥がす。その結果、図１に示すように、外壁板２の意匠面３が意匠性を発揮する。
【００７０】
また、この建材は、図７及び図８に示すように、保護シートＳ１が貼着された外壁板２を重ね合わせてなる積層体として、保管や運搬が行われる。
【００７１】
積層体を構成する各建材は、２枚で組Ｐ１を構成する。より具体的には、一方の建材を第１面２Ｆが下方向を向くように１８０°回転させて上方に配し、その下に、第１面２Ｆが上方向を向いた別の建材を対向させる。その結果、図７及び図８に示すように、組Ｐ１を構成する２枚の建材は、互いの第１面２Ｆが対向する状態で重なり合う。
【００７２】
そして、複数の組Ｐ１をそれぞれ結束材Ｊ１によって結束した状態で重ね合わせて、建材の積層体が完成する。なお、建材の積層体は、１つの組Ｐ１毎に構成されてもよい。また、結束材Ｊ１は、複数の組Ｐ１をまとめて結束してもよい。
【００７３】
図８に示すように、建材の積層体において、組Ｐ１を構成する一方の建材の第２裏面側接合部２３は、組Ｐ１を構成する他方の建材の第２裏面側接合部２３と同じ側に位置している。また、組Ｐ１を構成する一方の建材の第２表面側接合部２４は、組Ｐ１を構成する他方の建材の第２表面側接合部２４と同じ側に位置している。
【００７４】
その一方、図７に示すように、建材の積層体において、組Ｐ１を構成する一方の建材の第１裏面側接合部２１は、組Ｐ１を構成する他方の建材の第１裏面側接合部２１とは反対側に位置している。また、組Ｐ１を構成する一方の建材の第１表面側接合部２２は、組Ｐ１を構成する他方の建材の第１表面側接合部２２とは反対側に位置している。
【００７５】
組Ｐ１を構成する一方の建材の露出領域Ｂ１Ｕは、組Ｐ１を構成する他方の建材の被覆領域Ｃ１を覆う保護シートＳ１により、非接触状態で保護されている。
【００７６】
＜作用効果＞
実施の形態１の建材、及び建材の施工方法では、図３〜図５に示すように、外壁板２の第１面２Ｆ内に形成された意匠面３の被覆領域Ｃ１は、剥離可能な保護シートＳ１で覆われることにより保護されている。このため、図６に示すように、施工時の第１工程を行う際、意匠面３の被覆領域Ｃ１は損傷が抑制される。
【００７７】
一方、図３〜図５に示すように、意匠面３の露出領域Ｂ１Ｄは、第１意匠端部３Ｄに沿って延びて形成されている。また、意匠面３の露出領域Ｂ１Ｕは、第２意匠端部３Ｕに沿って延びて形成されている。そして、露出領域Ｂ１Ｄ、Ｂ１Ｕは、保護シートＳ１で覆われていない。このため、図６に示すように、施工時の第１工程を行う際、上下で隣接する外壁板２同士において、意匠面３の第１意匠端部３Ｄ及び第２意匠端部３Ｕが露出する。つまり、第１意匠端部３Ｄから保護シートＳ１のシート端Ｓ１Ｄが上方に離間し、また、第２意匠端部３Ｕから保護シートＳ１のシート端Ｓ１Ｕが下方に離間するので、第１意匠端部３Ｄ及び第２意匠端部３Ｕの周辺において、隣接する外壁板２同士の間に保護シートＳ１のシート端Ｓ１Ｄ、Ｓ１Ｕが挟まれる不具合を抑制できる。
【００７８】
また、その第１意匠端部３Ｄ及び第２意匠端部３Ｕの周辺において、隣接する外壁板２同士の間に保護シートＳ１のシート端Ｓ１Ｄ、Ｓ１Ｕが挟まれないように注意しながら作業する必要がない。
【００７９】
さらに、保護シートＳ１の挟まれた部分を千切れないように注意して引き抜く等の余分な施工手間を無くすことができる。
【００８０】
さらに、施工時の第２工程を行う際、保護シートＳ１を剥がす際のきっかけとなるシート端Ｓ１Ｄ、Ｓ１Ｕも、第１意匠端部３Ｄ及び第２意匠端部３Ｕの周辺において、隣接する外壁板２同士で互いに離間するため、保護シートＳ１を剥がす作業が容易になる。
【００８１】
したがって、実施の形態１の建材、及び建材の施工方法によれば、意匠面３の損傷を抑制しつつ、施工性の向上を実現できる。
【００８２】
また、この建材によれば、図３〜図５に示すように、第２意匠面３２Ｄ、３２Ｕ、３２Ｒ、３２Ｌは、意匠面３の四方の端部を面取りする面取り部である。これにより、施工時だけでなく、図７及び図８に示すように、保管時及び運搬時にも、意匠面３の損傷を抑制できる。そして、図６に示すように、露出領域Ｂ１Ｄ、Ｂ１Ｕが面取り部である第２意匠面３２Ｄ、３２Ｕを含むことで、施工時の第１工程を行う際、上下で隣接する外壁板２同士の間に保護シートＳ１のシート端Ｓ１Ｄ、Ｓ１Ｕを一層挟み難い。その結果、この建材では、施工性の一層の向上を実現できる。
【００８３】
さらに、この建材では、図３及び図５に示すように、保護シートＳ１は、第１意匠面３１の全面を接触状態で覆っている。その一方、保護シートＳ１は、第１意匠面３１から、第２意匠面３２Ｒに非接触状態で、右方に延出している。また、保護シートＳ１は、第１意匠面３１から、第２意匠面３２Ｌに非接触状態で、左方に延出している。つまり、保護シートＳ１のシート端Ｓ１Ｒ、Ｓ１Ｌが第２意匠面３２Ｒ、３２Ｌから離れている。このため、この建材では、施工時の第２工程を行う際、保護シートＳ１のシート端Ｓ１Ｒ、Ｓ１Ｌを剥がし易い。
【００８４】
また、この建材では、図６に示すように、第１裏面側接合部２１における第１面２Ｆ側の表面２１Ｆは、保護シートＳ１で覆われていない状態で、施工時に第１表面側接合部２２と接合されて隠れる。また、第１面２Ｆにおける第１表面側接合部２２側に第１意匠端部３Ｄが延びており、第１表面側接合部２２における第１面２Ｆ側の表面２２Ｆに形成された露出領域Ｂ１Ｄが第１意匠端部３Ｄに沿って延びている。このため、施工時の第１工程を行う際、上下で隣接する外壁板２同士における第１表面側接合部２２と第１裏面側接合部２１との接合箇所に、保護シートＳ１のシート端Ｓ１Ｄ、Ｓ１Ｕを一層挟み難い。その結果、この建材では、施工性の一層の向上を実現できる。
【００８５】
さらに、実施の形態１の建材の積層体では、図７に示すように、組Ｐ１を構成する一方の建材の露出領域Ｂ１Ｕは、組Ｐ１を構成する他方の建材の被覆領域Ｃ１を覆う保護シートＳ１により、非接触状態で保護されている。これにより、この建材の積層体では、例えば、梱包時や開梱時に、一方の建材に対して他方の建材が傾斜し、一方の建材の露出領域Ｂ１Ｕに他方の建材の意匠面３が接触しそうになっても、他方の建材の保護シートＳ１により露出領域Ｂ１Ｕの損傷を抑制することができる。
【００８６】
（実施の形態２）
実施の形態２の建材、建材の積層体、及び建材の施工方法では、実施の形態１の建材に係る意匠面３の被覆領域Ｃ１（Ｃ１Ｃ、Ｃ１Ｒ、Ｃ１Ｌ）及び露出領域Ｂ１（Ｂ１Ｄ、Ｂ１Ｕ）を変更し、図９及び図１０に示すように、意匠面３が被覆領域Ｃ２（Ｃ２Ｃ、Ｃ２Ｄ、Ｃ２Ｕ、Ｃ２Ｒ、Ｃ２Ｌ）及び露出領域Ｂ２（Ｂ２Ｄ、Ｂ２Ｕ、Ｂ２Ｒ、Ｂ２Ｌ）を有している。実施の形態２のその他の構成は、実施の形態１と同様である。このため、実施の形態１と同一の構成については同一の符号を付して説明を省略又は簡略する。
【００８７】
保護シートＳ１の上下方向の長さは、第１意匠面３１の上下方向の長さＬＶ３１よりも大きく、かつ、意匠面３の上下方向の長さＬＶ３よりも小さく設定されている。また、保護シートＳ１の左右方向の長さは、第１意匠面３１の左右方向の長さＬＨ３１よりも大きく、かつ、意匠面３の左右方向の長さＬＨ３よりも小さく設定されている。このため、保護シートＳ１のシート端Ｓ１Ｄは、第１意匠面３１よりも下方にはみ出す一方、第１意匠端部３Ｄよりも上方に位置している。保護シートＳ１のシート端Ｓ１Ｕは、第１意匠面３１よりも上方にはみ出す一方、第２意匠端部３Ｕよりも下方に位置している。保護シートＳ１のシート端Ｓ１Ｒは、第１意匠面３１よりも右方にはみ出す一方、第３意匠端部３Ｒよりも左方に位置している。保護シートＳ１のシート端Ｓ１Ｌは、第１意匠面３１よりも左方にはみ出す一方、第４意匠端部３Ｌよりも右方に位置している。
【００８８】
保護シートＳ１は、第１意匠面３１の全面を接触状態で覆っている。また、保護シートＳ１は、第１意匠面３１と第２意匠面３２Ｄ、３２Ｕ、３２Ｒ、３２Ｌとの稜線において屈曲し、第１意匠面３１から第２意匠面３２Ｄ、３２Ｕ、３２Ｒ、３２Ｌの途中までを接触状態で覆っている。
【００８９】
被覆領域Ｃ２Ｃは、第１意匠面３１の全面に形成されている。被覆領域Ｃ２Ｄは、第１意匠面３１の下端部から第２意匠面３２Ｄの途中までに形成されている。被覆領域Ｃ２Ｕは、第１意匠面３１の上端部から第２意匠面３２Ｕの途中までに形成されている。被覆領域Ｃ２Ｒは、第１意匠面３１の右端部から第２意匠面３２Ｒの途中までに形成されている。被覆領域Ｃ２Ｌは、第１意匠面３１の左端部から第２意匠面３２Ｌの途中までに形成されている。
【００９０】
露出領域Ｂ２Ｄは、第２意匠面３２Ｄにおける被覆領域Ｃ２Ｄを除く部分に形成されている。また、露出領域Ｂ２Ｄは、第１意匠端部３Ｄに沿って延びて形成されている。露出領域Ｂ２Ｄは、第１表面側接合部２２における第１面２Ｆ側の表面２２Ｆに形成されている。
【００９１】
露出領域Ｂ２Ｕは、第２意匠面３２Ｕにおける被覆領域Ｃ２Ｕを除く部分に形成されている。また、露出領域Ｂ２Ｕは、第２意匠端部３Ｕに沿って延びて形成されている。
【００９２】
露出領域Ｂ２Ｒは、第２意匠面３２Ｒにおける被覆領域Ｃ２Ｒを除く部分に形成されている。また、露出領域Ｂ２Ｒは、第３意匠端部３Ｒに沿って延びて形成されている。
【００９３】
露出領域Ｂ２Ｌは、第２意匠面３２Ｌにおける被覆領域Ｃ２Ｌを除く部分に形成されている。また、露出領域Ｂ２Ｌは、第４意匠端部３Ｌに沿って延びて形成されている。
【００９４】
つまり、露出領域Ｂ２Ｄ、Ｂ２Ｕ、Ｂ２Ｒ、Ｂ２Ｌは、意匠面３の四方の端部に沿って延びて形成されている。
【００９５】
実施の形態２の建材では、施工時の第１工程において、保護シートＳ１が貼着された外壁板２を建物の構造体８に取り付ける。この際、保護シートＳ１によって、意匠面３の被覆領域Ｃ２が保護される。そして、第１工程の後、第２工程において、保護シートＳ１を意匠面３から剥がす。
【００９６】
また、この建材は、積層体として、保管や運搬が行われる。積層体は、意匠面３が被覆領域Ｃ２及び露出領域Ｂ２を有している点のみが図７及び図８に示す積層体から変更されている。
【００９７】
図示は省略するが、組Ｐ１を構成する一方の建材の露出領域Ｂ２Ｕは、組Ｐ１を構成する他方の建材の被覆領域Ｃ２を覆う保護シートＳ１により、非接触状態で保護されている。
【００９８】
＜作用効果＞
実施の形態１の建材、及び建材の施工方法では、図９及び図１０に示すように、外壁板２の第１面２Ｆ内に形成された意匠面３の被覆領域Ｃ２は、剥離可能な保護シートＳ１で覆われることにより保護されている。このため、施工時の第１工程を行う際、意匠面３の被覆領域Ｃ２は損傷が抑制される。
【００９９】
一方、施工時の第１工程を行う際、上下で隣接する外壁板２同士において、意匠面３の第１意匠端部３Ｄ及び第２意匠端部３Ｕが露出する。つまり、第１意匠端部３Ｄから保護シートＳ１のシート端Ｓ１Ｄが上方に離間し、また、第２意匠端部３Ｕから保護シートＳ１のシート端Ｓ１Ｕが下方に離間するので、第１意匠端部３Ｄ及び第２意匠端部３Ｕの周辺において、隣接する外壁板２同士の間に保護シートＳ１のシート端Ｓ１Ｄ、Ｓ１Ｕが挟まれる不具合を抑制できる。
【０１００】
また、左右で隣接する外壁板２同士において、意匠面３の第３意匠端部３Ｒ及び第４意匠端部３Ｌが露出する。つまり、第３意匠端部３Ｒから保護シートＳ１のシート端Ｓ１Ｒが左方に離間し、また、第４意匠端部３Ｌから保護シートＳ１のシート端Ｓ１Ｌが右方に離間するので、第３意匠端部３Ｒ及び第４意匠端部３Ｌの周辺において、隣接する外壁板２同士の間に保護シートＳ１のシート端Ｓ１Ｒ、Ｓ１Ｌが挟まれる不具合を抑制できる。このため、その第１意匠端部３Ｄ、第２意匠端部３Ｕ、第３意匠端部３Ｒ及び第４意匠端部３Ｌの周辺において、隣接する外壁板２同士の間に保護シートＳ１のシート端Ｓ１Ｄ、Ｓ１Ｕ、Ｓ１Ｒ、Ｓ１Ｌが挟まれないように注意しながら作業しなくてもよくなる。
【０１０１】
また、保護シートＳ１の挟まれた部分を千切れないように注意して引き抜く等の余分な施工手間を無くすことができる。
【０１０２】
さらに、施工時の第２工程を行う際、保護シートＳ１を剥がす際のきっかけとなるシート端Ｓ１Ｄ、Ｓ１Ｕ、Ｓ１Ｒ、Ｓ１Ｌも、第１意匠端部３Ｄ、第２意匠端部３Ｕ、第３意匠端部３Ｒ及び第４意匠端部３Ｌの周辺において、隣接する外壁板２同士で互いに離間するため、保護シートＳ１を剥がす作業が容易になる。
【０１０３】
したがって、実施の形態２の建材、及び建材の施工方法によっても、意匠面３の損傷を抑制しつつ、施工性の向上を実現できる。
【０１０４】
また、この建材では、第２意匠面３２Ｄ、３２Ｕ、３２Ｒ、３２Ｌが傾斜していることから、施工時の第２工程において、第１意匠面３１から第２意匠面３２Ｄ、３２Ｕ、３２Ｒ、３２Ｌの途中までに形成される被覆領域Ｃ２を覆う保護シートＳ１のシート端Ｓ１Ｄ、Ｓ１Ｕ、Ｓ１Ｒ、Ｓ１Ｌを剥がし易い。その結果、この建材では、施工性の一層の向上を実現できる。
【０１０５】
さらに、実施の形態２の建材の積層体では、組Ｐ１を構成する一方の建材の露出領域Ｂ２Ｕは、組Ｐ１を構成する他方の建材の被覆領域Ｃ２を覆う保護シートＳ１により、非接触状態で保護されている。これにより、この建材の積層体では、例えば、梱包時や開梱時に、一方の建材に対して他方の建材が傾斜し、一方の建材の第２意匠面３２Ｕに他方の建材の第１意匠面３１が接触しそうになっても、他方の建材の保護シートＳ１により第２意匠面３２Ｕの損傷を抑制することができる。
【０１０６】
（実施の形態３）
実施の形態３の建材、建材の積層体、及び建材の施工方法では、図１１及び図１２に示すように、保護シートＳ１は、第１意匠面３１と第２意匠面３２Ｄ、３２Ｕ、３２Ｒ、３２Ｌとの稜線において屈曲することなく、第２意匠面３２Ｄ、３２Ｕ、３２Ｒ、３２Ｌに非接触状態で、外方に延出するように変更されている点が実施の形態２と異なる。
【０１０７】
被覆領域Ｃ３Ｄは、第１意匠面３１の下端部から第２意匠面３２Ｄの途中までにおいて、保護シートＳ１に非接触状態で覆われるように変更されている。被覆領域Ｃ３Ｕは、第１意匠面３１の上端部から第２意匠面３２Ｕの途中までにおいて、保護シートＳ１に非接触状態で覆われるように変更されている。被覆領域Ｃ３Ｒは、第１意匠面３１の右端部から第２意匠面３２Ｒの途中までにおいて、保護シートＳ１に非接触状態で覆われるように変更されている。被覆領域Ｃ３Ｌは、第１意匠面３１の左端部から第２意匠面３２Ｌの途中までにおいて、保護シートＳ１に非接触状態で覆われるように変更されている。
【０１０８】
実施の形態３のその他の構成は、実施の形態２と同様である。例えば、露出領域Ｂ３Ｄ、Ｂ３Ｕ、Ｂ３Ｒ、Ｂ３Ｌは、第２意匠面３２Ｄ、３２Ｕ、３２Ｒ、３２Ｌにおける被覆領域Ｃ３Ｄ、Ｃ３Ｕ、Ｃ３Ｒ、Ｃ３Ｌを除く部分に形成されている。このため、実施の形態１、２と同一の構成については同一の符号を付して説明を省略又は簡略する。
【０１０９】
実施の形態３の建材では、施工時の第１工程において、保護シートＳ１が貼着された外壁板２を建物の構造体８に取り付ける。この際、保護シートＳ１によって、意匠面３の被覆領域Ｃ３が保護される。そして、第１工程の後、第２工程において、保護シートＳ１を意匠面３から剥がす。
【０１１０】
また、この建材は、積層体として、保管や運搬が行われる。積層体は、被覆領域Ｃ３Ｄ、Ｃ３Ｕ、Ｃ３Ｒ、Ｃ３Ｌが保護シートＳ１に非接触状態で覆われている点のみが実施の形態２の積層体から変更されている。
【０１１１】
このような構成である実施の形態３の建材、建材の積層体、及び建材の施工方法によっても、実施の形態１、２の建材、建材の積層体、及び建材の施工方法と同様に、意匠面３の損傷を抑制しつつ、施工性の向上を実現できる。
【０１１２】
また、この建材では、保護シートＳ１のシート端Ｓ１Ｄが第１意匠端部３Ｄよりも上方において第２意匠面３２Ｄから浮き上がっている。保護シートＳ１のシート端Ｓ１Ｕが第２意匠端部３Ｕよりも下方において第２意匠面３２Ｕから浮き上がっている。保護シートＳ１のシート端Ｓ１Ｒが第３意匠端部３Ｒよりも左方において第２意匠面３２Ｒから浮き上がっている。保護シートＳ１のシート端Ｓ１Ｌが第４意匠端部３Ｌよりも右方において第２意匠面３２Ｌから浮き上がっている。このため、施工時の第２工程において、保護シートＳ１のシート端Ｓ１Ｄ、Ｓ１Ｕ、Ｓ１Ｒ、Ｓ１Ｌを剥がし易い。
【０１１３】
さらに、この建材では、保護シートＳ１のシート端Ｓ１Ｄが第１意匠端部３Ｄよりも下方に延出していない。保護シートＳ１のシート端Ｓ１Ｕが第２意匠端部３Ｕよりも上方に延出していない。保護シートＳ１のシート端Ｓ１Ｒが第３意匠端部３Ｒよりも右方に延出していない。保護シートＳ１のシート端Ｓ１Ｌが第４意匠端部３Ｌよりも左方に延出していない。このため、施工時の第１工程において、隣接する外壁板２同士の間に保護シートＳ１のシート端Ｓ１Ｄ、Ｓ１Ｕ、Ｓ１Ｒ、Ｓ１Ｌを挟み難い。その結果、この建材では、施工性の一層の向上を実現できる。
【０１１４】
（実施の形態４）
実施の形態４の建材、建材の積層体、及び建材の施工方法では、実施の形態１の建材に係る意匠面３の被覆領域Ｃ１（Ｃ１Ｃ、Ｃ１Ｒ、Ｃ１Ｌ）及び露出領域Ｂ１（Ｂ１Ｄ、Ｂ１Ｕ）を変更し、図１３及び図１４に示すように、意匠面３が被覆領域Ｃ４及び露出領域Ｂ４（Ｂ４ＣＤ、Ｂ４ＣＵ、Ｂ４Ｄ、Ｂ４Ｕ、Ｂ４Ｒ、Ｂ４Ｌ）を有している。実施の形態４のその他の構成は、実施の形態１と同様である。このため、実施の形態１と同一の構成については同一の符号を付して説明を省略又は簡略する。
【０１１５】
図１３に示すように、保護シートＳ１の上下方向の長さは、第１意匠面３１の上下方向の長さＬＶ３１よりも小さく設定されている。保護シートＳ１のシート端Ｓ１Ｄ、Ｓ１Ｕは、第１意匠面３１の上下の端部から内方に離間している。保護シートＳ１のシート端Ｓ１Ｄ、Ｓ１Ｕが第１意匠面３１の上下の端部から内方に離間する長さは特に限定されないが、一例として約２．５ｍｍがあげられる。
【０１１６】
保護シートＳ１の左右方向の長さは、第１意匠面３１の左右方向の長さＬＨ３１と等しく設定されている。このため、保護シートＳ１のシート端Ｓ１Ｒは、第１意匠面３１よりも右方にはみ出さない。つまり、第２意匠面３２Ｒは、保護シートＳ１で覆われていない。また、保護シートＳ１のシート端Ｓ１Ｌは、第１意匠面３１よりも左方にはみ出さない。つまり、第２意匠面３２Ｌは、保護シートＳ１で覆われていない。
【０１１７】
被覆領域Ｃ４は、第１意匠面３１におけるシート端Ｓ１Ｄ、Ｓ１Ｕ、Ｓ１Ｒ、Ｓ１Ｌに囲まれた部分に形成されている。
【０１１８】
露出領域Ｂ４ＣＤ、Ｂ４ＣＵは、第１意匠面３１における被覆領域Ｃ４を除く部分に形成されている。露出領域Ｂ４ＣＤは、第１意匠端部３Ｄに沿って延びて形成されている。露出領域Ｂ４ＣＤは、第１表面側接合部２２における第１面２Ｆ側の表面２２Ｆに形成されている。露出領域Ｂ４ＣＵは、第２意匠端部３Ｕに沿って延びて形成されている。
【０１１９】
露出領域Ｂ４Ｄは、第２意匠面３２Ｄに形成されており、第１意匠端部３Ｄに沿って延びて形成されている。露出領域Ｂ４Ｕは、第２意匠面３２Ｕに形成されており、第２意匠端部３Ｕに沿って延びて形成されている。露出領域Ｂ４Ｒは、第２意匠面３２Ｒに形成されており、第３意匠端部３Ｒに沿って延びて形成されている。露出領域Ｂ４Ｌは、第２意匠面３２Ｌに形成されており、第４意匠端部３Ｌに沿って延びて形成されている。
【０１２０】
つまり、露出領域Ｂ４ＣＤ、Ｂ４ＣＵ、Ｂ４Ｄ、Ｂ４Ｕ、Ｂ４Ｒ、Ｂ４Ｌは、意匠面３の四方の端部に沿って延びて形成されている。
【０１２１】
図示は省略するが、実施の形態４の建材では、施工時の第１工程において、保護シートＳ１が貼着された外壁板２を建物の構造体８に取り付ける。この際、保護シートＳ１によって、意匠面３の被覆領域Ｃ４が保護される。そして、第１工程の後、第２工程において、保護シートＳ１を意匠面３から剥がす。
【０１２２】
また、この建材は、図１４に示す積層体として、保管や運搬が行われる。この積層体は、意匠面３が被覆領域Ｃ４及び露出領域Ｂ４を有している点のみが実施の形態１の積層体から変更されている。
【０１２３】
図１４に示すように、組Ｐ１を構成する一方の建材の露出領域Ｂ４ＣＵは、組Ｐ１を構成する他方の建材の被覆領域Ｃ４を覆う保護シートＳ１により保護されている。より具体的には、露出領域Ｂ４ＣＵと、他方の建材の保護シートＳ１とは、一方の建材の保護シートＳ１の厚みによって形成される小さな隙間を有しつつ互いに対向している。これにより、例えば、梱包時、保管時、運搬時、開梱時等に、一方の建材の露出領域Ｂ４ＣＵに他方の建材の意匠面３が接触しそうになっても、他方の建材の保護シートＳ１により、露出領域Ｂ４ＣＵが保護される。
【０１２４】
このような構成である実施の形態４の建材、建材の積層体、及び建材の施工方法によっても、実施の形態１〜３の建材、建材の積層体、及び建材の施工方法と同様に、意匠面３の損傷を抑制しつつ、施工性の向上を実現できる。
【０１２５】
（実施の形態５）
実施の形態５の建材、建材の積層体、及び建材の施工方法では、実施の形態１の建材に係る意匠面３の被覆領域Ｃ１（Ｃ１Ｃ、Ｃ１Ｒ、Ｃ１Ｌ）及び露出領域Ｂ１（Ｂ１Ｄ、Ｂ１Ｕ）を変更し、図１５に示すように、意匠面３が被覆領域Ｃ５（Ｃ５Ｃ、Ｃ５Ｒ）及び露出領域Ｂ５（Ｂ５Ｄ、Ｂ５Ｕ、Ｂ５Ｌ）を有している。実施の形態５のその他の構成は、実施の形態１と同様である。このため、実施の形態１と同一の構成については同一の符号を付して説明を省略又は簡略する。
【０１２６】
保護シートＳ１の上下方向の長さは、第１意匠面３１の上下方向の長さＬＶ３１と等しく設定されている。このため、保護シートＳ１のシート端Ｓ１Ｄは、第１意匠面３１よりも下方にはみ出さない。つまり、第２意匠面３２Ｄは、保護シートＳ１で覆われていない。また、保護シートＳ１のシート端Ｓ１Ｕは、第１意匠面３１よりも上方にはみ出さない。つまり、第２意匠面３２Ｕは、保護シートＳ１で覆われていない。
【０１２７】
保護シートＳ１の左右方向の長さは、第１意匠面３１の左右方向の長さＬＨ３１よりも大きく設定されている。保護シートＳ１のシート端Ｓ１Ｌは、第１意匠面３１の左端部と一致するように配置され、第１意匠面３１よりも左方にはみ出さない。つまり、第２意匠面３２Ｌは、保護シートＳ１で覆われていない。保護シートＳ１のシート端Ｓ１Ｒは、第３意匠端部３Ｒよりも右方に位置し、第２意匠面３２Ｒから浮いている。つまり、保護シートＳ１は、第１意匠面３１から、第２意匠面３２Ｒに非接触状態で、右方に延出している。保護シートＳ１のシート端Ｓ１Ｒが意匠面３から右方にはみ出す長さは特に限定されないが、一例として約５ｍｍがあげられる。
【０１２８】
被覆領域Ｃ５Ｃは、第１意匠面３１の全面に形成されている。被覆領域Ｃ５Ｒは、第２意匠面３２Ｒに形成されている。
【０１２９】
露出領域Ｂ５Ｄは、第２意匠面３２Ｄに形成されている。また、露出領域Ｂ５Ｄは、第１意匠端部３Ｄに沿って延びて形成されている。露出領域Ｂ５Ｄは、第１表面側接合部２２における第１面２Ｆ側の表面２２Ｆに形成されている。露出領域Ｂ５Ｕは、第２意匠面３２Ｕに形成されている。また、露出領域Ｂ５Ｕは、第２意匠端部３Ｕに沿って延びて形成されている。露出領域Ｂ５Ｌは、第２意匠面３２Ｌに形成されている。また、露出領域Ｂ５Ｌは、第４意匠端部３Ｌに沿って延びて形成されている。
【０１３０】
図示は省略するが、実施の形態５の建材では、施工時の第１工程において、保護シートＳ１が貼着された外壁板２を建物の構造体８に取り付ける。この際、保護シートＳ１によって、意匠面３の被覆領域Ｃ５Ｃ、Ｃ５Ｒが保護される。そして、第１工程の後、第２工程において、保護シートＳ１を意匠面３から剥がす。
【０１３１】
また、図示は省略するが、この建材は、積層体として、保管や運搬が行われる。積層体は、意匠面３が被覆領域Ｃ５及び露出領域Ｂ５を有している点のみが実施の形態１の積層体から変更されている。
【０１３２】
組Ｐ１を構成する一方の建材の露出領域Ｂ５Ｕは、組Ｐ１を構成する他方の建材の被覆領域Ｃ５を覆う保護シートＳ１により、非接触状態で保護されている。これにより、例えば、梱包時や開梱時に、一方の建材に対して他方の建材が傾斜し、一方の建材の露出領域Ｂ５Ｕに他方の建材の意匠面３が接触しそうになっても、他方の建材の保護シートＳ１により、露出領域Ｂ５Ｕが保護される。
【０１３３】
このような構成である実施の形態５の建材、建材の積層体、及び建材の施工方法によっても、実施の形態１〜４の建材、建材の積層体、及び建材の施工方法と同様に、意匠面３の損傷を抑制しつつ、施工性の向上を実現できる。
【０１３４】
（実施の形態６）
実施の形態６の建材、建材の積層体、及び建材の施工方法では、実施の形態１の建材に係る意匠面３の被覆領域Ｃ１（Ｃ１Ｃ、Ｃ１Ｒ、Ｃ１Ｌ）及び露出領域Ｂ１（Ｂ１Ｄ、Ｂ１Ｕ）を変更し、図１６に示すように、意匠面３が被覆領域Ｃ６及び露出領域Ｂ６（Ｂ６Ｄ、Ｂ６Ｕ、Ｂ６Ｒ、Ｂ６Ｌ）を有している。実施の形態６のその他の構成は、実施の形態１と同様である。このため、実施の形態１と同一の構成については同一の符号を付して説明を省略又は簡略する。
【０１３５】
保護シートＳ１の上下方向の長さは、第１意匠面３１の上下方向の長さＬＶ３１と等しく設定されている。このため、保護シートＳ１のシート端Ｓ１Ｄは、第１意匠面３１よりも下方にはみ出さない。つまり、第２意匠面３２Ｄは、保護シートＳ１で覆われていない。また、保護シートＳ１のシート端Ｓ１Ｕは、第１意匠面３１よりも上方にはみ出さない。つまり、第２意匠面３２Ｕは、保護シートＳ１で覆われていない。
【０１３６】
保護シートＳ１の左右方向の長さは、第１意匠面３１の左右方向の長さＬＨ３１と等しく設定されている。このため、保護シートＳ１のシート端Ｓ１Ｒは、第１意匠面３１よりも右方にはみ出さない。つまり、第２意匠面３２Ｒは、保護シートＳ１で覆われていない。また、保護シートＳ１のシート端Ｓ１Ｌは、第１意匠面３１よりも左方にはみ出さない。つまり、第２意匠面３２Ｌは、保護シートＳ１で覆われていない。
【０１３７】
被覆領域Ｃ６は、第１意匠面３１の全面に形成されている。
【０１３８】
露出領域Ｂ６Ｄは、第２意匠面３２Ｄに形成されている。また、露出領域Ｂ６Ｄは、第１意匠端部３Ｄに沿って延びて形成されている。換言すると、露出領域Ｂ６Ｄは、第１表面側接合部２２における第１面２Ｆ側の表面２２Ｆに形成されている。露出領域Ｂ６Ｕは、第２意匠面３２Ｕに形成されている。また、露出領域Ｂ６Ｕは、第２意匠端部３Ｕに沿って延びて形成されている。露出領域Ｂ６Ｒは、第２意匠面３２Ｒに形成されている。また、露出領域Ｂ６Ｒは、第３意匠端部３Ｒに沿って延びて形成されている。露出領域Ｂ６Ｌは、第２意匠面３２Ｌに形成されている。また、露出領域Ｂ６Ｌは、第４意匠端部３Ｌに沿って延びて形成されている。
【０１３９】
図示は省略するが、実施の形態６の建材では、施工時の第１工程において、保護シートＳ１が貼着された外壁板２を建物の構造体８に取り付ける。この際、保護シートＳ１によって、意匠面３の被覆領域Ｃ６が保護される。そして、第１工程の後、第２工程において、保護シートＳ１を意匠面３から剥がす。
【０１４０】
また、この建材は、積層体として、保管や運搬が行われる。積層体は、意匠面３が被覆領域Ｃ６及び露出領域Ｂ６を有している点のみが実施の形態１の積層体から変更されている。
【０１４１】
図示は省略するが、組Ｐ１を構成する一方の建材の露出領域Ｂ６Ｕは、組Ｐ１を構成する他方の建材の被覆領域Ｃ６を覆う保護シートＳ１により、非接触状態で保護されている。これにより、例えば、梱包時や開梱時に、一方の建材に対して他方の建材が傾斜し、一方の建材の露出領域Ｂ６Ｕに他方の建材の意匠面３が接触しそうになっても、他方の建材の保護シートＳ１により、露出領域Ｂ６Ｕが保護される。
【０１４２】
このような構成である実施の形態６の建材、建材の積層体、及び建材の施工方法によっても、実施の形態１〜５の建材、建材の積層体、及び建材の施工方法と同様に、意匠面３の損傷を抑制しつつ、施工性の向上を実現できる。
【０１４３】
（実施の形態７）
実施の形態７の建材、建材の積層体、及び建材の施工方法では、実施の形態１の建材に係る外壁板２の代わりに、図１７に示す外壁板７０２を採用している。
【０１４４】
外壁板７０２は、「建材本体」の一例である。そして、図１８に示すように、外壁板７０２の意匠面７０３が被覆領域Ｃ７及び露出領域Ｂ７（Ｂ７Ｄ、Ｂ７Ｕ）を有している。実施の形態７のその他の構成は、実施の形態１と同様である。このため、実施の形態１と同一の構成については同一の符号を付して説明を省略又は簡略する。
【０１４５】
図１７に示すように、本実施の形態では、外壁板７０２は、パルプ混合セメント板である。外壁板７０２は、第１面７０２Ｆと第２面７０２Ｂとを有している。第１面７０２Ｆは、外壁板７０２における屋外方向を向く面である。第２面７０２Ｂは、外壁板７０２における屋内方向を向く面である。
【０１４６】
第１面７０２Ｆは、外壁板７０２を構成するパルプ混合セメント板の表面に凹凸を有するレンガ模様が形成され、そのレンガ模様が塗装されてなる。つまり、第１面７０２Ｆに、凹凸面である意匠面７０３が形成されている。意匠面７０３の大きさは特に限定されないが、一例を挙げると、左右方向の長さが約３ｍであり、上下方向の長さが約０．５ｍである。
【０１４７】
第１意匠端部７０３Ｄは、意匠面７０３の下方の端部である。第２意匠端部７０３Ｕは、意匠面７０３の上方の端部であり、第１意匠端部７０３Ｄと対向している。第１意匠端部７０３Ｄと第２意匠端部７０３Ｕとは、互いに平行に左右方向に延びている。
【０１４８】
第３意匠端部７０３Ｒは、意匠面７０３の右方の端部であり、第１意匠端部７０３Ｄと直交している。第４意匠端部７０３Ｌは、意匠面７０３の左方の端部であり、第１意匠端部７０３Ｄと直交し、かつ第３意匠端部７０３Ｒと対向している。第３意匠端部７０３Ｒと第４意匠端部７０３Ｌとは、互いに平行に上下方向に延びている。
【０１４９】
第１意匠面７３１は、第１意匠端部７０３Ｄ及び第２意匠端部７０３Ｕのそれぞれから内方に離れて形成された長方形状である。第１意匠面７３１の右端部は、第３意匠端部７０３Ｒと一致している。第１意匠面７３１の左端部は、第４意匠端部７０３Ｌと一致している。
【０１５０】
第２意匠面７３２Ｄ、７３２Ｕは、意匠面７０３の上下の端部を面取りする面取り部であり、上下の意匠端部と第１意匠面７３１を接続し、かつ第１意匠面７３１に対して４５°程度の角度で傾斜している。第２意匠面７３２Ｄ、７３２Ｕの幅は特に限定されないが、一例として約２．５ｍｍがあげられる。
【０１５１】
外壁板７０２の上端部には、第１裏面側接合部７２１が形成されている。第１裏面側接合部７２１の構成は、実施の形態１に係る第１裏面側接合部２１と同様であるので説明は省略する。外壁板７０２の下端部、すなわち、外壁板７０２における第１裏面側接合部７２１と対向する箇所には、第１表面側接合部７２２が形成されている。第１表面側接合部７２２の構成は、実施の形態１に係る第１表面側接合部２２と同様であるので説明は省略する。外壁板７０２の左右の端部には、平坦面が形成されている。
【０１５２】
なお、図１７〜図１９では、外壁板７０２の大きさに対して、第２意匠面７３２Ｄ、７３２Ｕ、第１裏面側接合部７２１及び第１表面側接合部７２２の大きさが誇張して図示されている。
【０１５３】
実施の形態１に係る第１裏面側接合部２１及び第１表面側接合部２２について図６に示して説明したのと同様に、第１裏面側接合部７２１と第１表面側接合部７２２とは、２枚の外壁板７０２が上下で隣接することにより、接合可能となっている。下方の外壁板７０２の第１裏面側接合部７２１と、上方の外壁板７０２の第１表面側接合部７２２とが屋内外方向で重なり合うことによって、上下で隣接する外壁板７０２同士の間に、上下合決り部が形成されるようになっている。
【０１５４】
図１８に示す保護シートＳ１は、外壁板７０２の第１面７０２Ｆに貼着された状態で、第１意匠端部７０３Ｄ及び第２意匠端部７０３Ｕと略平行に左右方向に延び、かつ、第３意匠端部７０３Ｒ及び第４意匠端部７０３Ｌと略平行に上下方向に延びて、第１意匠面７３１の全面を接触状態で覆っている。保護シートＳ１の上下方向の長さは、第１意匠面７３１の上下方向の長さＬＶ７３１と等しく設定されている。このため、保護シートＳ１のシート端Ｓ１Ｄは、第１意匠面７３１よりも下方にはみ出さない。つまり、第２意匠面７３２Ｄは、保護シートＳ１で覆われていない。また、保護シートＳ１のシート端Ｓ１Ｕは、第１意匠面７３１よりも上方にはみ出さない。つまり、第２意匠面７３２Ｕと、第１裏面側接合部７２１における第１面７０２Ｆ側の表面７２１Ｆとは、保護シートＳ１で覆われていない。
【０１５５】
保護シートＳ１の左右方向の長さは、意匠面７０３の左右方向の長さＬＨ７０３よりも大きく設定されている。このため、保護シートＳ１のシート端Ｓ１Ｒは、第３意匠端部７０３Ｒよりも右方にはみ出している。また、保護シートＳ１のシート端Ｓ１Ｌは、第４意匠端部７０３Ｌよりも左方にはみ出している。保護シートＳ１のシート端Ｓ１Ｒ、Ｓ１Ｌが意匠面７０３から右方又は左方にはみ出す長さは特に限定されないが、一例として約５ｍｍがあげられる。
【０１５６】
被覆領域Ｃ７は、第１意匠面７３１の全面に形成されている。
【０１５７】
露出領域Ｂ７Ｄは、第２意匠面３２Ｄに形成されている。また、露出領域Ｂ７Ｄは、第１意匠端部７０３Ｄに沿って延びて形成されている。露出領域Ｂ７Ｄは、第１表面側接合部７２２における第１面７０２Ｆ側の表面７２２Ｆに形成されている。露出領域Ｂ７Ｕは、第２意匠面７３２Ｕに形成されている。また、露出領域Ｂ７Ｕは、第２意匠端部７０３Ｕに沿って延びて形成されている。
【０１５８】
図示は省略するが、実施の形態７の建材では、施工時の第１工程において、保護シートＳ１が貼着された外壁板７０２を建物の構造体８に取り付ける。この際、保護シートＳ１によって、意匠面７０３の被覆領域Ｃ７が保護される。そして、第１工程の後、第２工程において、保護シートＳ１を意匠面７０３から剥がす。
【０１５９】
また、この建材は、図１９に示すように、保護シートＳ１が貼着された外壁板７０２を重ね合わせてなる積層体として、保管や運搬が行われる。
【０１６０】
積層体を構成する各建材は、実施の形態１と同様の手順によって、２枚で組Ｐ７を構成する。建材の積層体において、組Ｐ７を構成する一方の建材の第１裏面側接合部７２１は、組Ｐ７を構成する他方の建材の第１裏面側接合部７２１とは反対側に位置している。また、組Ｐ７を構成する一方の建材の第１表面側接合部７２２は、組Ｐ７を構成する他方の建材の第１表面側接合部７２２とは反対側に位置している。
【０１６１】
組Ｐ７を構成する一方の建材の露出領域Ｂ７Ｕは、組Ｐ７を構成する他方の建材の被覆領域Ｃ７を覆う保護シートＳ１により、非接触状態で保護されている。これにより、例えば、梱包時や開梱時に、一方の建材に対して他方の建材が傾斜し、一方の建材の露出領域Ｂ７Ｕに他方の建材の意匠面７０３が接触しそうになっても、他方の建材の保護シートＳ１により、露出領域Ｂ７Ｕが保護される。
【０１６２】
このような構成である実施の形態７の建材、建材の積層体、及び建材の施工方法によっても、実施の形態１〜６の建材、建材の積層体、及び建材の施工方法と同様に、意匠面７０３の損傷を抑制しつつ、施工性の向上を実現できる。
【０１６３】
（実施の形態８）
実施の形態８の建材、建材の積層体、及び建材の施工方法では、実施の形態７の建材に係る外壁板７０２について、図１７等に示す意匠面７０３を図２０及び図２１に示す意匠面８０３に変更している。そして、図２０に示すように、意匠面８０３が被覆領域Ｃ８及び露出領域Ｂ８（Ｂ８Ｄ、Ｂ８Ｕ）を有している。実施の形態８のその他の構成は、実施の形態７と同様である。このため、実施の形態７と同一の構成については同一の符号を付して説明を省略又は簡略する。
【０１６４】
図２１に示すように、意匠面８０３は、図１７等に示す意匠面７０３から、上下の端部に形成された面取り部を無くす変更を行っている。
【０１６５】
第１意匠端部８０３Ｄは、意匠面８０３の下方の端部である。第２意匠端部８０３Ｕは、意匠面８０３の上方の端部であり、第１意匠端部８０３Ｄと対向している。第１意匠端部８０３Ｄと第２意匠端部８０３Ｕとは、互いに平行に左右方向に延びている。
【０１６６】
第３意匠端部８０３Ｒは、意匠面８０３の右方の端部であり、第１意匠端部８０３Ｄと直交している。第４意匠端部８０３Ｌは、意匠面８０３の左方の端部であり、第１意匠端部８０３Ｄと直交し、かつ第３意匠端部８０３Ｒと対向している。第３意匠端部８０３Ｒと第４意匠端部８０３Ｌとは、互いに平行に上下方向に延びている。
【０１６７】
保護シートＳ１の上下方向の長さは、意匠面８０３の上下方向の長さＬＶ８０３よりも小さく設定されている。保護シートＳ１のシート端Ｓ１Ｄ、Ｓ１Ｕは、意匠面８０３の上下の端部から内方に離間している。保護シートＳ１のシート端Ｓ１Ｄ、Ｓ１Ｕが意匠面８０３の上下の端部から内方に離間する長さは特に限定されないが、一例として約２．０〜３．０ｍｍがあげられる。
【０１６８】
保護シートＳ１の左右方向の長さは、意匠面８０３の左右方向の長さＬＨ８０３よりも大きく設定されている。このため、保護シートＳ１のシート端Ｓ１Ｒは、第３意匠端部８０３Ｒよりも右方にはみ出している。また、保護シートＳ１のシート端Ｓ１Ｌは、第４意匠端部８０３Ｌよりも左方にはみ出している。保護シートＳ１のシート端Ｓ１Ｒ、Ｓ１Ｌが意匠面８０３から右方又は左方にはみ出す長さは特に限定されないが、一例として約５ｍｍがあげられる。
【０１６９】
被覆領域Ｃ８は、意匠面８０３におけるシート端Ｓ１Ｄ、Ｓ１Ｕと第３意匠端部８０３Ｒと第４意匠端部８０３Ｌとに囲まれた部分に形成されている。
【０１７０】
露出領域Ｂ８Ｄ、Ｂ８Ｕは、意匠面８０３における被覆領域Ｃ８を除く部分に形成されている。露出領域Ｂ８Ｄは、第１意匠端部８０３Ｄに沿って延びて形成されている。露出領域Ｂ８Ｄは、第１表面側接合部７２２における第１面７０２Ｆ側の表面７２２Ｆに形成されている。露出領域Ｂ８Ｕは、第２意匠端部８０３Ｕに沿って延びて形成されている。
【０１７１】
図示は省略するが、実施の形態８の建材では、施工時の第１工程において、保護シートＳ１が貼着された外壁板７０２を建物の構造体８に取り付ける。この際、保護シートＳ１によって、意匠面８０３の被覆領域Ｃ８が保護される。そして、第１工程の後、第２工程において、保護シートＳ１を意匠面８０３から剥がす。
【０１７２】
また、この建材は、図２１に示す積層体として、保管や運搬が行われる。この積層体は、面取り部を有しない意匠面８０３が被覆領域Ｃ８及び露出領域Ｂ８を有している点のみが図１９に示す積層体から変更されている。
【０１７３】
図２１に示すように、組Ｐ７を構成する一方の建材の露出領域Ｂ８Ｕは、組Ｐ７を構成する他方の建材の被覆領域Ｃ８を覆う保護シートＳ１により保護されている。より具体的には、露出領域Ｂ８Ｕと、他方の建材の保護シートＳ１とは、一方の建材の保護シートＳ１の厚みによって形成される小さな隙間を有しつつ互いに対向している。これにより、例えば、梱包時、保管時、運搬時、開梱時等に、一方の建材の露出領域Ｂ８Ｕに他方の建材の意匠面８０３が接触しそうになっても、他方の建材の保護シートＳ１により、露出領域Ｂ８Ｕが保護される。
【０１７４】
以上において、本発明の形態を実施の形態１〜８に即して説明したが、本発明の形態は上記実施の形態１〜８に制限されるものではなく、その趣旨を逸脱しない範囲で適宜変更して適用できることはいうまでもない。
【０１７５】
例えば、意匠面は、第１面の全体に形成されていなくてもよい。屋外方向を向く表面が第１面であってもよい。屋内方向を向く裏面が第１面であってもよい。表面及び裏面の両方が第１面であってもよい。意匠面は、凹凸面であってよいし、平坦面であってもよい。
【符号の説明】
【０１７６】
２、７０２…建材本体（外壁板）
Ｓ１…保護シート
Ｓ１Ｄ、Ｓ１Ｕ、Ｓ１Ｒ、Ｓ１Ｌ…シート端
２Ｆ、７０２Ｆ…第１面
２Ｂ、７０２Ｂ…第２面
３、７０３、８０３…意匠面
３Ｄ、７０３Ｄ、８０３Ｄ…第１意匠端部
３Ｕ、７０３Ｕ、８０３Ｕ…第２意匠端部
３Ｒ、７０３Ｒ、８０３Ｒ…第３意匠端部
３Ｌ、７０３Ｌ、８０３Ｌ…第４意匠端部
Ｃ１、Ｃ２、Ｃ３、Ｃ４、Ｃ５、Ｃ６、Ｃ７、Ｃ８…被覆領域
Ｂ１、Ｂ２、Ｂ３、Ｂ４、Ｂ５、Ｂ６、Ｂ７、Ｂ８…露出領域
３１、７３１…第１意匠面
３２Ｄ、３２Ｕ、３２Ｒ、３２Ｌ、７３２Ｄ、７３２Ｕ…第２意匠面
２１、７２１…第１裏面側接合部
２２、７２２…第１表面側接合部
２１Ｆ、７２１Ｆ…第１裏面側接合部における第１面側の表面
２２Ｆ、７２２Ｆ…第１表面側接合部における第１面側の表面
２３…第２裏面側接合部
２４…第２表面側接合部
Ｐ１、Ｐ７…建材（外壁板）の組
８…構造体
【図１】
2018119353.tif 000003
【図２】
2018119353.tif 000004
【図３】
2018119353.tif 000005
【図４】
2018119353.tif 000006
【図５】
2018119353.tif 000007
【図６】
2018119353.tif 000008
【図７】
2018119353.tif 000009
【図８】
2018119353.tif 000010
【図９】
2018119353.tif 000011
【図１０】
2018119353.tif 000012
【図１１】
2018119353.tif 000013
【図１２】
2018119353.tif 000014
【図１３】
2018119353.tif 000015
【図１４】
2018119353.tif 000016
【図１５】
2018119353.tif 000017
【図１６】
2018119353.tif 000018
【図１７】
2018119353.tif 000019
【図１８】
2018119353.tif 000020
【図１９】
2018119353.tif 000021
【図２０】
2018119353.tif 000022
【図２１】
2018119353.tif 000023